(57)【特許請求の範囲】
【請求項１】
第１の局部信号源と、変調手段と、ミキサと、逆変調手段と、チャネル選択フィルタと、復調手段を備え、前記変調手段は前記第１の局部信号源を変調し、前記第１の局部信号源の出力と受信信号を前記ミキサで混合し、前記逆変調手段は前記ミキサの出力の前記変調成分を打ち消すように前記ミキサの出力を逆変調し、前記逆変調手段の出力を前記チャネル選択フィルタを介して前記復調手段に入力して復調を行う受信機。
【請求項２】
変調手段は周波数変調を行う前記請求項１に記載の受信機。
【請求項３】
変調手段は位相変調を行う前記請求項１に記載の受信機。
【請求項４】
第１の局部信号源と、変調手段と、ミキサと、逆変調手段と、チャネル選択フィルタと、キャリアセンス手段と、受信レベル検出手段と、判定手段を備え、前記変調手段は前記第１の局部信号源を変調し、前記第１の局部信号源の出力と受信信号を前記ミキサで混合し、前記逆変調手段は前記ミキサの出力の前記変調成分を打ち消すように前記ミキサの出力を逆変調し、前記逆変調手段の出力を前記チャネル選択フィルタに入力し、前記受信レベル検出手段は前記チャネル選択フィルタの出力レベルを検出し、前記チャネル選択フィルタ出力の信号レベルを前記キャリアセンス手段で検出し、前記判定手段は前記変調手段および前記逆変調手段を動作させたときの前記受信レベル検出手段の出力および前記キャリアセンス手段の出力と前記変調手段および前記逆変調手段の動作を停止させたときの前記受信レベル検出手段の出力および前記キャリアセンス手段の出力を用いてキャリアの有無を判定する受信機。
【発明の詳細な説明】
【技術分野】
【０００１】
本発明は、主としてコードレスリモコン、ページャ、コードレス電話、携帯電話等の無線通信機器に用いられる受信機に係わり、特に受信フィルタを省略または簡略化するためにイメージリジェクションミキサを用いた受信機に関する。
【背景技術】
【０００２】
従来の受信機について図面を参照しながら説明する。図７は、従来の受信機の構成を示すブロック図である。
【０００３】
図７において、１は第１の局部信号源、５は第１のミキサ、７は演算手段、９はキャリアセンス手段、１０は判定手段、１１は復調手段、１２はチャネル選択フィルタ、１３は２分周器、１４は受信アンプ、１５はアンテナ、１６は移相手段である。図７の受信機はシングルスーパーヘテロダイン方式の構成であるが、アンテナ直下の受信フィルタを省略するためにイメージリジェクションミキサを採用している。前記イメージリジェクションミキサによりイメージ周波数の信号による妨害を防いでいる。
【０００４】
ここで、イメージリジェクションミキサは、第１のミキサ５の対に受信信号と第１の局部信号源１の信号すなわちローカル信号が入力されて互いに混合される。ここで、受信信号は２分配されて第１のミキサ５の対にそれぞれ入力されている。一方、第１の局部信号源１の信号を２分周器で周波数を１／２に分周すると共に相対的な位相差が９０°である二つの信号を生成している。前記２つの信号を第１のミキサ５の対にそれぞれ入力している。２分周器を用いることにより相対的な位相差を正確に９０°とすることができる。
【０００５】
そして、第１のミキサ５の対のそれぞれの出力を移相手段１６に入力することにより相対的に位相を９０°変化させてから、演算手段７に入力して互いに加算または減算を行う。このとき希望周波数の信号に対しては同位相、イメージ周波数の信号に対して互いに逆位相になるため、イメージ周波数を抑圧することができる。以上のようにしてイメージリジェクションミキサが構成されている。
【０００６】
次に、演算手段７の出力はチャネル選択フィルタ１２で不要成分が除去されてから復調手段１１に入力され、受信信号の復調が行われる。
【発明の開示】
【発明が解決しようとする課題】
【０００７】
しかしながら、前記従来の受信機では、比較的大きなイメージ周波数信号の入力があったときに、希望チャネルの受信感度が劣化してしまう、いわゆるイメージ信号による感度抑圧が発生するという問題があった。これは、イメージリジェクションミキサのイメージ周波数信号の抑圧量が不十分であるために起こる問題である。一般的なイメージリジェクションミキサでは、安定して実現できるイメージ周波数信号の抑圧量は３０ｄＢ程度であり、一般的な受信フィルタを用いた場合の抑圧量よりも小さい。このことが信頼性の高い受信機を得る上で障害となっていた。
【課題を解決するための手段】
【０００８】
前記従来の課題を解決するために、本発明の受信機は、第１の局部信号源と、変調手段と、ミキサと、逆変調手段と、チャネル選択フィルタと、復調手段を備え、前記変調手段は前記第１の局部信号源を変調し、前記第１の局部信号源の出力と受信信号を前記ミキサで混合し、前記逆変調手段は前記ミキサの出力の前記変調成分を打ち消すように前記ミキ
サの出力を逆変調し、前記逆変調手段の出力を前記チャネル選択フィルタを介して前記復調手段に入力して復調を行うものである。
【０００９】
そして、イメージ周波数信号を受信した場合でも、変調および逆変調の操作によりイメージ信号の成分を低減できるため、感度抑圧特性を改善することが出来る。
【発明の効果】
【００１０】
本発明の受信機は、第１の局部信号源と、変調手段と、ミキサと、逆変調手段と、チャネル選択フィルタと、復調手段を備え、前記変調手段は前記第１の局部信号源を変調し、前記第１の局部信号源の出力と受信信号を前記ミキサで混合し、前記逆変調手段は前記ミキサの出力の前記変調成分を打ち消すように前記ミキサの出力を逆変調し、前記逆変調手段の出力を前記チャネル選択フィルタを介して前記復調手段に入力して復調を行うものである。
【発明を実施するための最良の形態】
【００１１】
請求項１記載の発明は、第１の局部信号源と、変調手段と、ミキサと、逆変調手段と、チャネル選択フィルタと、復調手段を備え、前記変調手段は前記第１の局部信号源を変調し、前記第１の局部信号源の出力と受信信号を前記ミキサで混合し、前記逆変調手段は前記ミキサの出力の前記変調成分を打ち消すように前記ミキサの出力を逆変調し、前記逆変調手段の出力を前記チャネル選択フィルタを介して前記復調手段に入力して復調を行う受信機である。
【００１２】
そして、イメージ周波数信号に対する感度抑圧特性を改善できると共に、イメージ周波数信号が復調できなくなるため誤って復調してしまうことがない。
【００１３】
また請求項２記載の発明は、変調手段は周波数変調を行う受信機である。そして、周波数変調は第１の局部信号源の発振周波数に変動を与えることにより容易に得ることができ、回路が簡素化できる。
【００１４】
また請求項３記載の発明は、変調手段は位相変調を行う受信機である。そして、位相変調は直交変調器を用いて構成でき、変調を正確に行うことができ、従って逆復調も同様の構成で正確に行えるため、精度良く変調成分を打ち消すことができる。
【００１５】
また第１の局部信号源と、変調手段と、ミキサと、逆変調手段と、チャネル選択フィルタと、キャリアセンス手段と、受信レベル検出手段と、判定手段を備え、前記変調手段は前記第１の局部信号源を変調し、前記第１の局部信号源の出力と受信信号を前記ミキサで混合し、前記逆変調手段は前記ミキサの出力の前記変調成分を打ち消すように前記ミキサの出力を逆変調し、前記逆変調手段の出力を前記チャネル選択フィルタに入力し、前記受信レベル検出手段は前記チャネル選択フィルタの出力レベルを検出し、前記チャネル選択フィルタ出力の信号レベルを前記キャリアセンス手段で検出し、前記判定手段は前記変調手段および前記逆変調手段を動作させたときの前記受信レベル検出手段の出力および前記キャリアセンス手段の出力と前記変調手段および前記逆変調手段の動作を停止させたときの前記受信レベル検出手段の出力および前記キャリアセンス手段の出力を用いてキャリアの有無を判定する受信機である。そして、受信レベル検出手段およびキャリアセンス手段のみで、イメージ周波数信号の有無を判断できるため、回路を簡素化できる。
【００１６】
以下、図面を参照して本発明の実施例について説明する。
【００１７】
（実施例１）
図１は、本発明による実施例１の受信機の構成を示すブロック図である。また、図２は本発明の受信機で処理する信号の周波数関係を説明する説明図である。図１および２を用いて本実施例の受信機について説明する。
【００１８】
図１において、１は第１の局部信号源、２は変調手段、３は第２の局部信号源、４は逆変調手段、５は第１のミキサ、６は第２のミキサ、７は演算手段、８は変調成分検出手段、９はキャリアセンス手段、１０は判定手段、１１は復調手段、１２はチャネル選択フィルタ、１３は２分周器、１４は受信アンプ、１５はアンテナである。
【００１９】
図１の受信機は、アンテナ直下の受信フィルタを省略するためにイメージリジェクションミキサを採用しており、これによりイメージ周波数信号の入力による妨害を防いでいる。ここで、イメージリジェクションミキサは、第１のミキサ５の対に受信信号と第１の局部信号源１の信号すなわちローカル信号が入力されて混合される。ただし、受信信号は２分配されて第１のミキサ５の対にそれぞれ入力される。一方、第１の局部信号源１は変調手段２により周波数変調される。ここで変調手段２による変調の変調周波数は受信信号の変調周波数成分すなわちベースバンド周波数が存在する周波数帯域とは異なる周波数帯に設定されている。
【００２０】
本実施例では受信信号の変調周波数が１．２ｋＨｚ以下に存在するのに対して変調手段２の変調周波数は２．０ｋＨｚに設定されている。そして第１の局部信号源１の出力信号を２分周器１３に入力して周波数を１／２に分周すると共に相対的な位相差が９０°である二つのローカル信号を生成している。このとき２分周器１３の出力信号は変調周波２．０ｋＨｚの周波数変調を受けている。そして前記２つのローカル信号を第１のミキサ５の対にそれぞれ入力している。ここで、２分周器１３は相対的な位相差９０°を正確に得るために設けたものである。そして、第１のミキサ５の対のそれぞれの出力を第２のミキサ６の対に入力している。ここで第２のミキサ６の対には第２の局部信号源３の信号を２分周して相対的な位相差を９０°とした２つのローカル信号が入力されており、前記第１のミキサ５の出力信号と混合される。
【００２１】
ここで、第２の局部信号源３は特徴的な変調が施されている。すなわち、逆変調手段４により第２の局部信号源３が周波数変調される。ここで変調周波数は第１の局部信号源１の変調周波数と同じであり、周波数変位も同じに設定されている。ただし第２の局部信号源３は第１の局部信号源１の数十分の一の周波数であるので、信号源周波数に対する周波数変位量の割合は第２の局部信号源４の方が大きくなっている。また、前記周波数変調の変調位相は第１および第２の局部信号源で反転している。本実施例はローカル信号が受信信号よりも低い周波数であるＬｏｗｅｒ―Ｌｏｃａｌ周波数に設定されている。ここでＵｐｐｅｒ―Ｌｏｃａｌ周波数に設定された場合は変調位相が同相となる。このような変調手段２による変調と逆変調手段４による逆変調を行うことによって、イメージ周波数信号の入力の場合にのみ変調を与えることができる。
【００２２】
これについて、図２を用いて本実施例の受信機で処理する信号の周波数関係を説明する。
【００２３】
図２に示すように受信周波数帯域には希望信号（図中（ａ））およびイメージ信号（図中（ｃ））が存在する。局部信号（第１の局部信号）（図中（ｂ））は上記２つの信号の中間の周波数である。希望信号、イメージ信号および第１の局部信号を第１のミキサで混合し、より低い周波数である第１の中間周波数へ周波数変換を行う。ここで第１の局部信号が変調手段により周波数変調されており、ある瞬間に周波数が低い側へ変化したとすると（図２中の横方向の矢印参照）、第１の中間周波数信号の内、希望信号の成分（図中（ｄ））は周波数が高い側へ変化する。一方、イメージ信号の成分（図中（ｅ））は低い側
へ変化する。このように挙動が異なったものとなる。
【００２４】
次に上記の第１の中間周波数信号を第２のミキサに入力して第２の局部信号と混合する。ここで第２の局部信号源は前記第１の局部信号源の変調と同じ変調周波数、同じ周波数変位で変調位相が反転した周波数変調がなされている。つまり、第１のミキサによる周波数変調を打ち消すように逆変調を行っている。そのため第２のミキサの出力は希望信号（図中（ｆ））については、周波数変化がなくなっている。一方、イメージ信号（図中（ｇ））は周波数変位が２倍となっており、周波数変化が大きくなっている。つまり、イメージ信号が入力したときには、上記の変調成分が残るが、希望信号が入力したときには変調成分は打ち消されて残らない。
【００２５】
次に、図１に示すように、第２のミキサ６の対の出力はそれぞれ演算手段７に入力される。ここで加算または減算の演算処理を行うことにより希望信号に対しては同位相、イメージ信号に対しては逆位相とすることにより、イメージ周波数成分を抑圧している。そして演算手段７の出力はチャネル選択フィルタ１２で不要成分が除去されてから復調手段１１に入力される。復調手段１１には入力信号のレベルに応じた電圧を出力する回路すなわち一般的にＲＳＳＩ回路と呼ばれるレベル検出回路が内蔵されている。前記レベル検出回路の出力が予め設定したレベルすなわちキャリアセンスレベルを上回ったときにキャリアセンス手段９は信号を発生する。
【００２６】
ここでキャリアセンスレベルはアンテナ入力レベル換算で―１１０ｄＢｍである。
【００２７】
また、変調成分検出手段８が構成されている。変調成分検出手段８はチャネル選択フィルタ１２の出力に含まれる変調成分すなわち変調周波数２ｋＨｚの周波数変調の成分を検出するものである。変調成分検出手段８は変調周波数２ｋＨｚの成分を電圧変化に変換する回路と２ｋＨｚ付近の周波数成分のみを抜き出すためのフィルタおよび平滑回路で構成され、チャネル選択フィルタ１２の出力に２ｋＨｚの周波数変調成分が存在すると直流電圧を出力するものである。
【００２８】
そして、キャリアセンス手段９の出力と、変調成分検出手段８の出力が共に判定手段１０に入力される。判定手段１０はマイクロコンピュータの機能の一部として構成されている。判定手段１０は以下のようにキャリアの有無を判定する。
【００２９】
まず、キャリアセンス手段９からキャリア検出の出力がないときには判定手段１０は希望チャネルのキャリア無しと判定する。次にキャリアセンス手段９からキャリア検出の出力が有るときに、変調成分検出手段８の出力電圧が予め設定した値より大きいときには、希望チャネルのキャリア無しと判定する。この場合は、イメージ周波数の信号が入力されていると見なしている。
【００３０】
また、キャリアセンス手段９からキャリア検出の出力が有るときに、変調成分検出手段８の出力電圧が予め設定した値より小さいときには、希望チャネルのキャリア有りと判定する。
【００３１】
このように、キャリアセンス手段９に加えて変調成分検出手段８からの情報を基にして希望チャネルのキャリアの有無を判定するため、イメージ周波数の信号により誤ってキャリア有りと判定し、受信動作に移行して無駄な電池電力を消費することがない。
【００３２】
また、特定小電力無線機などでは送信前に使用チャネルにキャリアがないかを確認するキャリアセンス動作を実行し、キャリア有りの場合には送信動作に移行できない規則がある。この場合でも本実施例の構成では、イメージ周波数信号により誤って使用チャネルの
キャリア有りと判定して送信不能となることを防ぐことができる。
【００３３】
尚、変調成分検出手段８は復調手段１１を用いて、復調アナログ出力の信号を変調周波数付近でフィルタリングすることにより検出を行う構成とすることができる。
【００３４】
また、変調手段２による変調周波数や周波数変位の値は任意の値に設定してもよい。例えば、本実施例では、受信信号の変調周波数より大きな２ｋＨｚに設定したが、０．５ｋＨｚなどの小さな値に選ぶこともできる。
【００３５】
また、変調成分検出手段は、図２に示すようなチャネル選択フィルタの出力（図中（ｈ）（ｉ））を周波数に対して通過振幅特性に勾配を持たせたフィルタに通過させることにより、周波数変調を振幅変動に変換し、前記振幅変動する信号を包絡線検波などのより検出する構成を用いることができる。この場合、希望信号は振幅変調が生じないがイメージ信号は振幅変調されるため判別することができる。
【００３６】
尚、本実施例では変調および逆変調は周波数変調を用いたが位相変調を用いてもよい。位相変調では、直交変調器などを用いて正確に変調を行うことができるため、変調および逆変調を正確に行うことができるという利点がある。
【００３７】
また、第１の局部信号源１と第２の局部信号源３は独立して構成したが、第２の信号源３は第１の信号源１を分周した信号を用いることができる。あるいは、第１の局部信号として第２の信号源をＰＬＬ回路などを用いて、てい倍した信号を用いてもよい。
【００３８】
また、第１および第２の局部信号源の変調変移量（周波数変移量）を同一とするための構成として、一つの変調された信号を基にこの信号を変調されていない別の信号とミキサで混合して周波数変換することにより第１または第２の局部信号源の信号を得ることができる。特に第２の局部信号源の周波数変移量の信号周波数に対する比が、第１の局部信号源のそれより大幅に大きくなるため、ミキサを用いて同一の周波数変移量を得る構成は有効である。
【００３９】
（実施例２）
図３は、本発明の実施例２の受信機の構成を示すブロック図である。図３において、１６は移相手段である。また、図１と同じ構成要素に同一の番号を付けて示した。図３用いて本実施例の受信機について説明する。
【００４０】
本実施例と上記の実施例１の違いは、逆変調手段の配置される位置にある。本実施例では第１のミキサ５、移相手段１６および演算手段７から構成されるイメージリジェクションミキサの後段に配置された第２のミキサ６に入力される第２の局部信号源１３の信号を逆変調手段４で変調することにより、変調手段２による変調を打ち消すように逆変調している。すなわちイメージリジェクションミキサ内に逆変調の機構を内蔵する必要はない。ここで移相手段１６は第１のミキサ５の対の出力信号である第１の中間周波数信号の位相を相対的に９０°変化させるために設けられており、それぞれ低域通過フィルタおよび高域通過フィルタの肩付近で位相が変化する性質を利用している。
【００４１】
上記のような構成とすることで、第２のミキサ６は１個で構成でき回路規模を削減できることに加えて、一対のミキサを用いる場合よりも逆変調の操作を確実に行えるという利点がある。
【００４２】
尚、本実施例はダブルスーパーヘテロダイン方式の構成となっている。
【００４３】
（実施例３）
図４は、本発明による実施例３の受信機の構成を示すブロック図である。図４において、１７は周波数可変手段、１８はレベル変動検出手段、１９は可変フィルタである。また、図１、図３と同じ構成要素に同一の番号を付けて示した。
【００４４】
本実施例の特徴は、前記実施例１および２で逆変調手段を用いていたのに対して、可変フィルタ１９の周波数特性を変化させるための周波数可変手段１７を用いていることであり、更に変調成分検出手段に代わってレベル変動検出手段１８を用いていることである。
【００４５】
変調手段２によって変調された第１の局部信号源１の信号と受信信号が第１のミキサ５で混合されることにより変調が加えられる。変調手段２による変調が周波数変調の場合には第１のミキサ５の出力である第１の中間周波数信号の周波数が変化する。第１のミキサ５の出力は移相手段１５および演算手段７を経てチャネル選択フィルタ１２に入力された後、可変フィルタ１９に入力される。ここで、周波数可変手段１７は、希望チャネルの信号に対して可変フィルタの出力レベルが一定となるように、可変フィルタの周波数特性を変化させる。可変フィルタ１９は第１の中間周波数付近で通過振幅の周波数特性に勾配をもった特性であり、変調手段２の変調に同期して可変フィルタ１９の周波数特性を周波数軸方向または通過振幅軸方向にシフトさせることにより、希望チャネル信号に対して可変フィルタの出力レベルが一定になるように制御される。
【００４６】
このとき受信信号がイメージ周波数信号であるときには、可変フィルタ１９の周波数変化と第１の中間周波数信号の周波数変化とが逆方向となるため、可変フィルタ１９の出力レベルが変化するため、この出力レベルの変化をレベル変動検出手段１８で検出する。そして判定手段１０に入力されるレベル変動検出手段１８の出力が予め設定した値より大きい時にはキャリア無しの判定を行う。一方、受信信号が希望チャネル信号の場合にはレベル変動検出手段１８の出力が予め設定した値より小さくなるためキャリアありの判定を行うことができる。
【００４７】
本実施例では、逆変調の操作のための逆変調手段や第２の局部信号源あるいは第２のミキサなどの構成要素が不要であり、回路を簡素化できるという利点がある。
【００４８】
また、シングルスーパーヘテロダイン方式の構成に適用できるという利点がある。
【００４９】
尚、本実施例では、可変フィルタ１９として周波数に対して通過振幅に勾配をもったものを用いたが、チャネル選択フィルタを用いることができる。すなわち、チャネル選択フィルタの通過帯域の中心周波数を前記変調に同期して変化させる構成とすることができる。そして、チャネル選択フィルタの中心周波数が常に希望チャネル信号の中心周波数と一致するように周波数可変手段１７により制御する。これにより、受信信号が希望チャネル信号の場合には出力レベルは変化しないが、イメージ周波数信号の場合にはチャネル選択フィルタの通過帯域を外れて中間周波数信号の周波数が変化するため、通過レベルが大きく変化する。この通過レベルの変化をレベル変動検出手段１８で検出することによりイメージ周波数信号による誤キャリアセンスを防ぐことができる。
【００５０】
また、可変フィルタ１９としてチャネル選択フィルタの通過帯域内で通過振幅特性に勾配をもたせたものを用いてもよい。この場合には変調手段２による周波数変位量が比較的小さい場合でもイメージ周波数信号を検出することができる。
【００５１】
（実施例４）
図５は、本発明による実施例４の受信機の構成を示すブロック図である。また、図６は本発明の受信機で処理する信号の周波数関係を説明する説明図である。図５、図６を用い
て本実施例の受信機について説明する。
【００５２】
図５において、２０は受信レベル検出手段である。また、図１と同じ構成要素に同一の番号を付けて示した。
【００５３】
本実施例と実施例１との違いは、変調手段１による変調操作および逆変調手段４による逆変調操作を行うときと、行わないときの２つの状態における受信レベルを比較して、イメージ周波数信号による誤キャリアセンスを防止することである。
【００５４】
本実施例では、変調手段２と逆変調手段３を動作させる状態と、動作させない状態の２つの状態を切り替えることができる。また、チャネル選択フィルタ１２の出力の信号レベルを検出するための受信レベル検出手段２０を備えている。
【００５５】
受信レベル検出手段２０で検出される信号レベルについて、変調手段２および逆変調手段４が動作していない状態で第１のレベルにあったとする（図６中（Ａ）の状態）。
【００５６】
次に変調手段１および逆変調手段４を動作させたときには、受信信号が希望チャネル信号であった場合には検出されるレベルは第１のレベルとほぼ等しい値となる。これに対して、イメージ周波数信号であった場合に検出されるレベルは第１のレベルよりも小さい値になる。これは、変調および逆変調の操作によってイメージ周波数信号が大きく周波数変調を受けて、そのスペクトラムがチャネル選択フィルタ１２の帯域幅よりも広く広がるためである。そして信号成分の一部または大部分がチャネル選択フィルタ１２で減衰されるために受信レベル検出手段２０での検出レベルが小さくなる（図６中（Ｂ）の状態）。
【００５７】
従って、キャリアセンス手段９がキャリアありの信号を出力していても、変調なしのときに比べて変調ありのときの受信レベル検出手段２０による検出レベルが予め設定した幅よりも大きく低下した場合には、判定手段１０はキャリアセンスなしの判定を行う。これにより、イメージ周波数信号により誤ってキャリアありの判定をすることを防ぐことができる。
【００５８】
上記のように、２つの状態を設けることにより、待ち受け受信時の消費電力を低減することができる。つまり、キャリアセンス動作をまず、変調および逆変調の操作なしで行い、キャリアセンス手段９の出力があった場合に変調および逆変調の操作を行ってイメージ周波数信号であるかを確認するように制御を行うことができる。これにより、動作時間の大半を変調および逆変調なしで行うことができるため、変調および逆変調の操作で消費される電力を削減することができる。
【００５９】
そして、本実施例の構成では、復調動作においてイメージ周波数信号の入力による受信の感度抑圧特性を改善することができる。復調手段１１による復調動作において、変調手段２および逆変調手段４を動作させることにより、イメージ周波数信号を周波数変調してスペクトラムを拡散することができる。ここで、変調手段２の変調の周波数変移量をチャネル選択フィルタ１２の周波数帯域より大きく設定している。そのため、変調手段２による変調および逆変調手段４による逆変調の操作が加えられたイメージ周波数信号は、周波数拡散を受けてスペクトラムが広がったものとなる。例えば、変調の周波数変移量をチャネル選択フィルタ１２の通過帯域の５倍に設定すると、逆変調の操作を受けた後にはイメージ周波数成分のスペクトラムはチャネル選択フィルタの通過帯域の１０倍に拡散される。この場合、チャネル選択フィルタ１２を通過するイメージ周波数成分のレベルはは１／１０に低減される。一方、希望チャネル信号については変調が逆変調によって打ち消されるため、全ての成分がチャネル選択フィルタ１２を通過する。従って、希望チャネル信号とイメージ周波数信号のレベル比を改善することができるため、感度抑圧特性が１０ｄＢ
改善される。つまり、変調をチャネル選択フィルタ１２の帯域よりも大きく設定することと、その後にチャネル選択フィルタ１２でイメージ周波数信号の成分の大半を除去することが特徴である。
【００６０】
更に、イメージ周波数信号を誤って復調してしまうことを防ぐことができる。すなわち、イメージ周波数信号が元の変調に加えて変調手段および逆変調手段で大きく変調されるため、復調手段１１で元の変調を復調できなくなる。これにより、誤復調を避けることができる。
【産業上の利用可能性】
【００６１】
以上のように、本発明にかかる受信機は、次の効果が得られる。第１の局部信号源と、変調手段と、ミキサと、逆変調手段と、チャネル選択フィルタと、復調手段を備え、前記変調手段は前記第１の局部信号源を変調し、前記第１の局部信号源の出力と受信信号を前記ミキサで混合し、前記逆変調手段は前記ミキサの出力の前記変調成分を打ち消すように前記ミキサの出力を逆変調し、前記逆変調手段の出力を前記チャネル選択フィルタを介して前記復調手段に入力して復調を行う構成としており、希望信号と共にイメージ周波数信号を受信した場合に変調および逆変調の操作によりイメージ周波数信号の成分を低減して感度抑圧特性を改善でき、更にイメージ周波数信号を誤って復調してしまうことを防ぐことができるという効果がある。
【図面の簡単な説明】
【００６２】
【図１】本発明の実施例１における受信機のブロック図
【図２】本発明の実施例１における受信機で処理する信号の周波数関係の説明図
【図３】本発明の実施例２における受信機のブロック図
【図４】本発明の実施例３における受信機のブロック図
【図５】本発明の実施例４における受信機のブロック図
【図６】本発明の実施例４における受信機で処理する信号の周波数関係の説明図
【図７】従来の受信機のブロック図
【符号の説明】
【００６３】
１  第１の局部信号源
２  変調手段
３  第２の局部信号源
４  逆変調手段
５  第１のミキサ
６  第２のミキサ
７  演算手段
８  変調成分検出手段
９  キャリアセンス手段
１０  判定手段
１１  復調手段
１２  チャネル選択フィルタ
１３  ２分周器
１４  受信アンプ
１５  アンテナ
１６  移相手段
１７  周波数可変手段
１８  レベル変動検出手段
１９  可変フィルタ
２０  受信レベル検出手段
【図２】
0004466679.tif 000002
【図３】
0004466679.tif 000003
【図４】
0004466679.tif 000004
【図５】
0004466679.tif 000005
【図６】
0004466679.tif 000006
【図７】
0004466679.tif 000007
【図１】
0004466679.tif 000008